【事件の表示】
　平成１０年商標登録願第１０８０６７号拒絶査定不服審判事件について、次のとおり審決する。
【結　論】
　本件審判の請求は、成り立たない。
【理　由】
１　本願商標 
　本願商標は、別掲に示すとおりの構成よりなり、第５類「薬剤，歯科用材料，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，医療用腕環，失禁用おしめ，人工受精用精液，乳児用粉乳，乳糖，はえ取り紙，防虫紙」を指定商品として、平成１０年１２月１６日に登録出願されたものである。 
　 
２　原査定の拒絶の理由 
　原査定は、「本願商標は、『有害な菌がふえるのを防止し、いやな臭いを消し、香料を使用していないもの』であることを容易に理解させる『抗菌』『消臭』『無香料』の文字とそれぞれの文字を地色をつけた円形で囲み、つなぎ合わせた図形よりなるものであり、全体として格別な印象を与えるとも認められない態様で表してなるものであるから、このような商標を本願指定商品中『抗菌・消臭剤（身体用のものを除く。）』に使用しても、単に商品の品質、効能を表したにすぎないものと認める。したがって、本願商標は、商標法第３条第１項第３号に該当し、前記商品以外の商品に使用するときには、商品の品質について誤認を生じさせるおそれがあるから、同法第４条第１項第１６号に該当する。」旨認定、判断し、本願を拒絶したものである。
　 
３　当審の判断 
　本願商標は、別掲に示すとおり、「抗菌・」「消臭」「無香料」の各文字を大別して５つのありふれた楕円形図形で囲み、これらの文字及び図形を赤、白、青、黄、紫の各色を使って、普通に用いられる方法で色分けして表示した構成よりなるものである。
　そこで検討するに、近時、レタリング技術の進展に伴い、商品の広告・宣伝の一環として、ありふれた縦又は横長の楕円等の図形内に文字を表示し、それらに彩色を施し、あるいは、文字及び図形を斜体等で表現する手法は、何ら珍しいことでなく、例えば、商品のラベルの分野等においては、普通に行われていることからすれば、本願商標についても、同様に、これを決して特殊な態様よりなるものということはできず、むしろ、普通に用いられる態様の域を脱していない表現方法よりなる標章とみるのが相当である。
　ところで、株式会社岩波書店発行「広辞苑」第五版の８８８頁、１３１５頁の各記述によれば、本願商標の構成中、「抗菌」の文字は「細菌の繁殖を抑制すること。」の意味を有し、また、「抗菌」の文字に続く「・」（中点）は、さしたる特徴がなく、容易に捨象される程度のものというのが相当である。さらに、「消臭」の文字は、「不快な臭いを消すこと。」の意味を有し、加えて、「無香料」の文字については、上記「広辞苑」の９２３頁の「香料」に関する「食料品・化粧品等に芳香をそえるために加える物質。」との記述より類推すると、「芳香をそえる物質（すなわち香料）が加えられていないもの」、すなわち「無香料の商品」という意味合いであると解すのが相当である。
　そうとすれば、本願商標に接するこの種商品の取引者、需要者は、該文字の全体より、「抗菌及び消臭効果があって、香りのないもの（商品）」といった意味合いを想起・認識するというのが相当である。
　また、これらの各文字が、本願指定商品の業界において、多数用いられている事実は、下記に示す株式会社ジー・サーチ提供の新聞記事及びインターネットのホームページにおける各種商品記事に関する情報等からも十分に裏付けられるところである。
【新聞記事情報】
（１）２００２．９．２５朝日新聞　東京夕刊７頁
　「・・・消臭や抗菌、湿度調整などの効果を生かす商品だけではなく、インテリアやアクセサリーとして活用しようと、さまざまな商品が登場しています。・・・○環境を考え商品開発　・・・売れ筋は、・・・無香料、無着色、化学合成物質無添加の竹炭せっけん（１２０グラム１２００円）など。今月発売された『竹炭力』シャンプーとコンディショナー（各３８００円）も、無香料、無着色で、合成界面活性剤やパラベンなども使用していない。・・・○形の美しさを生かす・・・炭の効能効果とともに、インテリアとしての炭を提案した『炭生活セット』が１０月５日土曜に発売される。・・・炭本来の造形美を部屋のアクセントとして使うとともに、マイナスイオンの発生や調湿、消臭効果を期待。・・・ｈｔｔｐ：／／ｗｗｗ．ｈｏｎｙａｒａｄｏｈ．ｃｏｍ）。○紀州備長炭の専門店・・・『銀座紀州備長炭ショップ 掌（たなごころ）』・・・は、・・・居心地の良い生活空間を演出しつつ、空気の消臭・浄化を促す個性的な商品まで、数多く取りそろえる。・・・」
（２）２０００．１２．１９共同通信「『経済ウイークリー』〈気になる商品〉用途広がる緑茶成分　抗菌、消臭効果を利用」・・・「・・・緑茶の抽出成分を使った生活用品が広く出回り、人気を集めている。抗菌、消臭効果を利用した除菌スプレーやシャンプー、入浴剤、ペットフード、衣類など用途はさまざま。・・・衣類にしみ込んだ汗や脂に付く雑菌は洗濯だけでは落ちにくく、においも残りやすい。家庭用品メーカー、ニトムズ（東京）の洗濯仕上げ剤『デオラフレッシュＮ』は、洗剤といっしょに使用。緑茶成分のフラボノイドと竹のエキスが衣類のにおいを取り、雑菌の繁殖を抑える。・・・丸富製紙（静岡県富士市）のトイレットペーパー『ペンギンティーフラボン』は、緑茶から作った消臭剤とハーブの香りの芳香剤を巻しんの内側に塗り付けた。トイレにこもる嫌なにおいを効果的に除き、新たに芳香剤を使う必要がない。・・・川根インダストリー（静岡県本川根町）の『緑茶で泡美人石鹸』は、緑茶抽出物を使った無香料、無着色のせっけん。・・・大手通販のムトウ（静岡県浜松市）の人気商品は、伊藤忠商事などが開発した緑茶染めのシャツやワンピース、ソックス。成分のカテキンの抗菌、消臭作用に着目して、日本古来の草木染の手法で綿を染色した。・・・研究機関の試験で、アトピー性皮膚炎を悪化させる黄色ブドウ球菌や大腸菌に対する抗菌効果が認められたという。ポロシャツ・・・、ワンピース・・・」
【インターネットホームページ掲載記事情報】
（３）無香料消臭剤「エアリオン・スプレー」・・・品名，無香料消臭剤「エアリオン・スプレー２４０」，無香料消臭剤「エアリオン・スプレー７５」．形名，ＳＧ−２４０ＳＰ，ＳＧ−７５ＳＰ．成分，イオン交換体エタノール抗菌剤，イオン交換体エタノール抗菌剤．内容量，２４０ｍｌ，７５ｍｌ．．．（http://www.toshiba-denchi.jp/ebattery/info/airion_spray/-）
（４）ＧＬ消臭シリーズ・・・無香料タイプ。お出かけ先で消臭したい時、即消臭！■税込み価格：５００円■成分：液体イオン交換体／抗菌剤■内容量：７５ｍｌ■用途：トイレ・生ゴミ・排水口・タバコ・玄関・靴・ロッカー等の悪臭の消臭．．．（http://www.ohta-co.ne.jp/gl/）
（５）【ホタテウォーター２００ｍｌ】水虫・体臭・生活臭など・・・商品特徴一覧，ホタテウォーター２００ｍｌ：水虫：体臭：生活臭：雑菌：臭い：元から消去：分解：消臭：効き目が持続：強アルカリ：低刺激：抗菌：消臭：無菌：無臭：トイレの臭い：キッチンの臭い：ペットの臭い：無添加・無香料・無着色：口臭：ホタテ貝殻．．．（http://www.rakuten.co.jp/aas/679865/）
（６）消臭剤、芳香剤：ＡＵＴＯＬＡＮＤＳＨＩＲＡＯＫＡ・・・エアコン内に発生したカビや雑菌、タバコなどの悪臭を取り除き、その発生を予防するカーエアコン専用の抗菌消臭剤。．．．備考フレッシュレモンスプレーフレッシュミントスプレー無香料スプレー※こちらの商品は、ご注文いただいてからのお取寄せ．．．（http://www.rakuten.co.jp/autoland/515842/517053/）
（７）Ｙａｈｏｏ！ショッピング−ポチタマのシュシュ消臭抗菌２５０ｃｃ・・・この消臭・除菌・抗菌剤は、細胞に対して確かな細菌力を持ち、医療機関の院内感染対策としても使用される銀イオンを溶液中で安定化させて、さらに高性能．．．常陸加工プロの消臭剤無香料詰め替え２２０ｍｌ５２２円（税込）Ｙａｈｏｏ！ポイント４ポイント獲得．．．（http://store.yahoo.co.jp/kurosu/a5dda5c1a5.html）
（８）除菌・消臭剤（ペット用）選りすぐり商品【ケンコーコム】・・・消臭＆除菌無香料３５０ｍｌ」は、ニオイが気になるペットまわりの布製品も、しっかり除菌・消臭。．．．湯の花エキス愛犬の抗菌・防臭・保湿スプレー３００ｍｌ．￥１８９０（税込）．発売元：川崎加工．通常２４時間以内に出荷予定商品を購入する．．．（http://www.kenko.com/product/seibun/sei_804035.html）
（９）価格．ｃｏｍ−製品画像一覧衛生用品消臭剤・消臭液・・・ライオンペットキレイシュシュット消臭＆除菌エアゾール無香料空間用２８０ｍｌ￥７７８．ライオンペットキレイシュシュット消臭＆除菌エアゾール無香料空間用２８０ｍｌ．．．消臭・抗菌剤ハピエア３００ｍｌ無香￥１２６０．消臭・抗菌剤ハピエア３００ｍｌ無香．．．（http://www.kakaku.com/sku/priceimage/560604.htm）
（１０）抗菌消臭システム・・・インフルエンザウィルス・大腸菌・黄色ブドウ球菌などやカビを即抗菌●タバコ臭・生活臭・加齢臭・動物臭・汚泥臭などを即消臭●３ミクロンエアクリーン●ノンアルコール・無香料●１００畳でも２０分医療現場が生んだ脅威の即効抗菌消臭液！．．．（http://www.lavenir.jp/ags.html）
（１１）抗菌消臭システム・・・大同特殊鋼が誇る実績で証明、長期持続・抗菌消臭液●ＡｇＣは光触媒を越えた画期的な消臭・抗菌コ−ティング液●室内・車内・エアコン内のカビやウィルスタバコの悪臭を完全抗菌消臭．．．（http://www.lavenir.jp/ags.html）
（１２）家庭用消臭抗菌防カビマイクロゲル空気清浄剤・・・内容量，：３８０ｍｌ．（約６４０秒噴霧可能：通常利用で約２〜３ヶ月目安）．定価，：２６２６円（税込）．商品特性，：無香料・アルミ缶入り．．．マイクロゲルスプレーは、第三者の中立機関により含有成分の消臭剤・抗菌剤に対する安全性証明を得ています。．．．（http://www.karumoa.co.jp/product/deoagent/katei.html）。
　してみると、本願商標をその指定商品に使用しても、これに接する取引者、需要者は、上記意味合いに相応する商品であること、すなわち、商品の品質、効能等を表示したにすぎないものと認識し、把握するにとどまり、自他商品識別標識としての機能を発揮し得るものとは認識しないと判断するのが相当である。
　また、これを上記意味合いに相応する商品以外の商品に使用するときには、商品の品質について、誤認を生じさせるおそれがあるものといわなければならない。 
　したがって、本願商標が商標法第３条第１項第３号及び同法第４条第１項第１６号に該当するとして、本願を拒絶した原査定は、妥当であって、取り消すべき限りでない。
　なお、請求人は、本願商標の文字部分自体が特別顕著性を有しないことについては、異論を有しないものの、当該構成中の着色した図形部分が看者の注意を惹き、格別な印象を与えるので、全体として自他商品識別力を有する旨述べている。
　しかしながら、上記のとおり、本願商標中の着色した図形部分についても、ありふれた表現方法の域を脱していないものというべきであるから、本願商標は、前記文字部分のみならず、図形部分を含む全体において、自他商品識別標識としての機能を有しないものと見るのが相当である。このような表現方法にとどまる文字や図形は、たとえ、色彩を施してなるとはいえ、何人も自由に使用し得る範疇のものというべきであるから、商標として登録することなく、その使用を一般に開放しておくのが適当とされる性格のものであるので、請求人の主張は、採用することができない。 
　よって、結論のとおり審決する。